(57)【特許請求の範囲】
【請求項１】
液晶セルと、この液晶セルの前面に配設したタブレットとを  備え、前記液晶セルを保持して前記液晶セルの動きを規制可能な第１ケースと、前記タブレットを保持して前記タブレットの動きを規制可能な第２ケースとを有し、前記第１ケースに前記液晶セルを組み込んだ状態の液晶セルユニット上に、前記第２ケースに前記タブレットを組み込んだ状態のタブレットユニットを積層し、この互いに積層した状態の前記液晶セルユニットと前記タブレットユニットとを収納可能なメタルフレームを配設し、このメタルフレームは、下部が解放されて周囲が側板で覆われ、上部には前記タブレットの操作領域を露出させる開口部と、この開口部の外側で前記タブレットの外周部寄りを覆う縁部とが形成されて、内部に前記積層状態の前記タブレットユニットと前記液晶セルユニットとを収納可能とし、前記側板は、前記第１ケースにスナップ係合可能な係合部を有し、前記第１ケースは、前記液晶セルの外周部に当接して前記液晶セルの動きを規制する第１側壁と、前記液晶セルの背面を覆う底板とを有し、前記第１側壁の外周部には、前記メタルフレームの前記係合部にスナップ係合可能なフック部を形成し、前記第２ケースは、前記タブレットの外周部に当接して前記タブレットの動きを規制する第２側壁と、前記タブレットの外周部寄りの背面に当接して前記タブレットを保持する所定厚さの桟部とを有し、  
前記メタルフレームに収納した前記前記液晶セルユニットと前記タブレットユニットとは、それぞれの動きが規制可能になっていることを特徴とする液晶表示装置。
【請求項２】
前記第１ケースの前記第１側壁は、前面に複数の第１位置決め穴を設け、前記第２ケースの前記第２側壁は、背面に前記第１位置決め穴に嵌合可能な第１位置決めピンを設け、前記第１位置決め穴に前記第１位置決めピンを嵌合させて、前記液晶セルユニットと前記タブレットユニットとを互いに積層したことを特徴とする請求項１記載の液晶表示装置。
【請求項３】
前記液晶セルユニットと前記タブレットユニットとの間は、フロントライトユニットを配設し、このフロントライトユニットは、所定の厚さの透明樹脂からなる導光板と、この導光板の一端部に取り付けた照明装置と、前記導光板と前記照明装置とを組み込んだ第３ケースとからなり、前記液晶セルユニットと前記フロントライトユニットと前記タブレットユニットとを積層した状態で前記メタルフレームに収納したことを特徴とする請求項１、または２記載の液晶表示装置。
【請求項４】
前記第３ケースは、前記導光板と前記照明装置の外周部に当接して前記導光板と前記照明装置の動きを規制する第３側壁と、前記導光板の外周部寄りの背面に当接して、前記導光板と前記照明装置とを保持する所定厚さの桟部とを有し、第３側壁は、背面に前記第１位置決め穴に嵌合可能な第２位置決めピンを形成すると共に前面に複数の第２位置決め穴を設け、前記第１位置決め穴に前記第２位置決めピンを嵌合させ、前記第２位置決め穴に前記第１位置決めピンを嵌合させて、前記液晶セルユニットと前記フロントライトユニットと前記タブレットユニットとを積層したことを特徴とする請求項２、または３記載の液晶表示装置。
【請求項５】
前記タブレットユニットは、前記タブレットの背面と前記第２ケースの前記桟部との間に透明シートを配設したことを特徴とする請求項１乃至４のいずれかに記載の液晶表示装置。
【請求項６】
前記透明シートは、厚さを０．２ｍｍ以下に形成したことを特徴とする請求項５記載の液晶表示装置。
【請求項７】
前記第１、第２ケースは、厚さを０．６ｍｍ以下の樹脂材料からなる成形ケースを使用することを特徴とする請求項１乃至６のいずれかに記載の液晶表示装置。
【発明の詳細な説明】
【０００１】
【発明の属する技術分野】
本発明は液晶表示装置に係わり、特に液晶表示セルの前面にタブレット等を備えた液晶表示装置に関する。
【０００２】
【従来の技術】
従来の液晶表示装置の分野では、例えばディスプレイ装置としてオフィスや家庭に設置して使用するだけでなく、電子手帳、携帯情報端末をはじめとするモバイル機器への応用がめざましいものがある。これらモバイル機器においては、例えばカレンダー表示、スケジュール表示、住所録管理等の各種の機能を切り換える際に、所望の機能が表示されたアイコンマーク上のタブレットをペン等で触れることにより、機能の切り換えを行うものがある。
【０００３】
あるいは、操作者がタブレット上でペン等で文字等の画像を描くことにより、所望の画像の手書き入力が可能なものもある。
このような従来の液晶表示装置２１を図６、図７に基づいて説明すると、液晶セル２２は、ガラスからなる一対の絶縁基板２３、２４との間に液晶（図示せず）を封入して形成されている。このような液晶セル２２は、外周部に両面接着テープ２７が貼付され、メタルケース２５内部に収納すると、両面接着テープ２７によりメタルケース２５に固着されるようになっている。
なお、下部基板２４の端部には、下部基板２４の各電極（図示せず）を駆動するために搭載されたドライバーＩＣ（図示せず）に接続されるフレキシブルプリント基板２６が配設されている。
【０００４】
また、メタルフレーム２５は、上部中央に矩形状の窓部２５ａが設けられ、この窓部２５ａによって、液晶セル２２の画像表示領域の上部が解放されている。
また、メタルプレート２５の上面で、窓部２５ａ周囲には、両面接着テープ２７が貼付され、この両面接着テープ２７により上部のタブレット２８がメタルフレーム２５に固着されるようになっている。
前記タブレット２８は、外周端部に複数の電極（図示せず）が配設されている。
【０００５】
このような従来の液晶表示装置２１は、タブレット２８と液晶セル２２との間に寸法Ｇのギャップが形成され、この寸法Ｇのギャップは、両面接着テープ２７とメタルフレーム２５の厚さである、例えば０、４〜０．６ｍｍ程度に形成されている。
そのために、タブレット２８がペン等で押圧されて若干歪んだとしても、このタブレット２８の歪みが液晶セル２２の画像表示に悪影響を与えることはない。
【０００６】
【発明が解決しようとする課題】
前述したように従来の液晶表示装置２１は、液晶セル２２およびメタルフレーム２７に両面接着テープ２７を貼付していたので、両面接着テープ２７の貼付に時間が掛かると共に、両面接着テープ２７貼付後、両面接着テープ２７にゴミ等が付着して接着力が劣化しないような保管をしなければならなかった。
【０００７】
また、液晶セル２２およびタブレット２８は、両面接着テープ２７でメタルフレーム２５に固着していたので、液晶表示装置２１を電子手帳、あるいは携帯情報端末機器等のセット側（図示せず）に取り付けるときに、メタルフレーム２５にネジレが発生すると、液晶セル２２が歪んで、液晶セル２２に表示される画像に表示ムラが発生するおそれがあった。
また、メタルフレーム２５のネジレによって、タブレット２８に歪みが発生すると、タブレット２８に干渉縞（ニュートンリング）が発生して、液晶セル２２の表示画面を正常に視認できなくなるおそれがあった。
【０００８】
また、タブレット２８は、外周部の電極（図示せず）が電気的にシールドされてないために、周囲に静電気等が発生すると誤作動する危険性があった。
また、メタルフレーム２５の外周部に、厚さが０、６ｍｍを超える樹脂材料からなるケース（図示せず）が配設され、このケースで液晶表示装置２１を保持していたので、液晶表示装置が重くなると共に、外形が大きくなっていた。
本発明は、前述のような課題を解決して、両面接着テープ等の接着剤を用いないで組み立てることができると共に、外部からの静電気等の障害を防ぐことができる液晶装置を提供することを目的とするものである。
【０００９】
【課題を解決するための手段】
前記課題を解決するための第１の解決手段として本発明の液晶表示装置は、液晶セルと、この液晶セルの前面に配設したタブレットとを  備え、前記液晶セルを保持して前記液晶セルの動きを規制可能な第１ケースと、前記タブレットを保持して前記タブレットの動きを規制可能な第２ケースとを有し、前記第１ケースに前記液晶セルを組み込んだ状態の液晶セルユニット上に、前記第２ケースに前記タブレットを組み込んだ状態のタブレットユニットを積層し、この互いに積層した状態の前記液晶セルユニットと前記タブレットユニットとを収納可能なメタルフレームを配設し、このメタルフレームは、下部が解放されて周囲が側板で覆われ、上部には前記タブレットの操作領域を露出させる開口部と、この開口部の外側で前記タブレットの外周部寄りを覆う縁部とが形成されて、内部に前記積層状態の前記タブレットユニットと前記液晶セルユニットとを収納可能とし、前記側板は、前記第１ケースにスナップ係合可能な係合部を有し、前記第１ケースは、前記液晶セルの外周部に当接して前記液晶セルの動きを規制する第１側壁と、前記液晶セルの背面を覆う底板とを有し、前記第１側壁の外周部には、前記メタルフレームの前記係合部にスナップ係合可能なフック部を形成し、前記第２ケースは、前記タブレットの外周部に当接して前記タブレットの動きを規制する第２側壁と、前記タブレットの外周部寄りの背面に当接して前記タブレットを保持する所定厚さの桟部とを有し、  前記メタルフレームに収納した前記前記液晶セルユニットと前記タブレットユニットとは、それぞれの動きが規制可能になっている構成とした。
【００１０】
また、前記課題を解決するための第２の解決手段として、前記第１ケースの前記第１側壁は、前面に複数の第１位置決め穴を設け、前記第２ケースの前記第２側壁は、背面に前記第１位置決め穴に嵌合可能な第１位置決めピンを設け、前記第１位置決め穴に前記第１位置決めピンを嵌合させて、前記液晶セルユニットと前記タブレットユニットとを互いに積層した構成とした。
【００１１】
また、前記課題を解決するための第３の解決手段として、前記液晶セルユニットと前記タブレットユニットとの間は、フロントライトユニットを配設し、このフロントライトユニットは、所定の厚さの透明樹脂からなる導光板と、この導光板の一端部に取り付けた照明装置と、前記導光板と前記照明装置とを組み込んだ第３ケースとからなり、前記液晶セルユニットと前記フロントライトユニットと前記タブレットユニットとを積層した状態で前記メタルフレームに収納した構成とした。
【００１２】
また、前記課題を解決するための第４の解決手段として、前記第３ケースは、前記導光板と前記照明装置の外周部に当接して前記導光板と前記照明装置の動きを規制する第３側壁と、前記導光板の外周部寄りの背面に当接して、前記導光板と前記照明装置とを保持する所定厚さの桟部とを有し、第３側壁は、背面に前記第１位置決め穴に嵌合可能な第２位置決めピンを形成すると共に前面に複数の第２位置決め穴を設け、前記第１位置決め穴に前記第２位置決めピンを嵌合させ、前記第２位置決め穴に前記第１位置決めピンを嵌合させて、前記液晶セルユニットと前記フロントライトユニットと前記タブレットユニットとを積層したことを特徴とする請求項２、または３記載の液晶表示装置。
【００１３】
また、前記課題を解決するための第５の解決手段として、前記タブレットユニットは、前記タブレットの背面と前記第２ケースの前記桟部との間に透明シートを配設した構成とした。
【００１４】
また、前記課題を解決するための第６の解決手段として、前記透明シートは、厚さを０．２ｍｍ以下に形成した構成とした。
【００１５】
また、前記課題を解決するための第７の解決手段として、前記第１、第２ケースは、厚さを０．６ｍｍ以下の樹脂材料からなる成形ケースを使用する構成とした。
【００１７】
【発明の実施の形態】
以下に、本発明の液晶表示装置を図面に基づいて説明する。まず、図１は本発明の第１の実施の形態の液晶表示装置の分解斜視図であり、図２は本発明の第１の実施の形態の液晶表示装置の要部断面図であり、図３は図２の組立を説明する要部拡大図であり、図４は本発明の第２の実施の形態の液晶表示装置の分解斜視図であり、図５は本発明の第２の実施の形態の液晶表示装置の要部断面図であり、図６は図５の組立を説明する要部拡大図である。
【００１８】
本発明の第１の実施の形態の液晶装置１を図１〜図３で説明すると、まず、液晶セル２は、図２に示すように、上下２枚の矩形状のガラス板からなる一対の絶縁基板２、３を互いに対向させて配設され、この一対の絶縁基板３、４の間に液晶（図示せず）が封入されている。
また、液晶を封入した状態の一対の絶縁基板３、４の上面には、偏光板（図示せず）が貼付されている。
また、液晶セル２の裏面である図示下面には反射部材（図示せず）が貼付されて、この反射部材で液晶セル２に入射した外部からの光を図示上方に反射して外部に出射するようになっている。
このような液晶セル２は、図１に示すように、下部基板４の端部に、下部基板４の各電極（図示せず）を駆動するために搭載されたドライバーＩＣ４ａに接続されるフレキシブルプリント基板４ｂが配設されている。
【００１９】
また、液晶セル２を保持して液晶セル２の動きを規制可能な第１ケース５は、樹脂材料からなり液晶セル２の外周部に当接して液晶セル２の動きを規制する第１側壁５ａと、液晶セル２の背面を覆う底板５ｂとが形成されている。
また、第１側壁５ａの外周部には、後述するメタルフレーム１１の係合部１１ｄにスナップ係合可能な、鈎状のフック部５ｃが突出形成されている。
また、図３に示す第１側壁５ａの図示上方の前面には、複数の第１位置決め穴５ｄが形成されて、この第１位置決め穴５ｄに後述する第２ケース８の第１位置決めピン８ｃが嵌合可能になっている。
このような第１ケース５に液晶セル２が組み込まれて、図１に示すような液晶セルユニット６が構成されている。
【００２０】
また、液晶セル２の図示上方の前面には、ペン等の圧力によりスイッチング動作をなして文字等の画像を入力可能な透明パネル、いわゆるタブレット７が配設されている。このタブレット７は、図１に示すように、液晶セル２と略同形状の矩形状に形成されて、外周端部に複数の電極（図示せず）が形成されている。この電極は上部がレジスト等の樹脂材料等で覆われて絶縁されて、フレキシブルプリント基板７ａに接続されている。
また、外周端部の前記電極に囲まれた領域に、タブレット７上に位置させたペン等を動作させて、文字等の画像を入力操作可能な操作領域（図示せず）が形成されている。
【００２１】
このようなタブレット７を保持してタブレット７の動きを規制可能な第２ケース８は、樹脂材料からなり、タブレット７の外周部に当接して動きを規制する第２側壁８ａと、タブレット７の外周部寄りの背面に当接してタブレット７を保持する所定厚さの桟部８ｂとが形成されている。
この桟部８ｂの厚さＨは、例えば０．４ｍｍの薄肉に形成されている。そのために、液晶セル２上にタブレット７を積層すると、タブレット７と液晶セル２との間には、０．４ｍｍの隙間が形成されるようになっている。
この寸法Ｈの隙間により、タブレット７の操作領域（図示せず）をペン等で押圧して、タブレット７が歪んでも、この歪んだタブレット７の背面が、液晶セル２の前面に接触しないようになっている。
【００２２】
また、第２ケース８の第２側壁８ａは、図３に示すように、背面に複数の第２位置決めピン８ｃが突出形成され、この第２位置決めピン８ｃが第１ケース５の第１位置決め穴５ｄに嵌合可能になっている。
このような第２ケース８に、タブレット７が組み込まれて、図１に示すようなタブレットユニット９が構成されている。
【００２３】
また、タブレットユニット９は、図２に示すように、タブレット７の背面と第２ケース８の桟部８ｂとの間に、例えば厚さが０．２ｍｍの透明シート１０が配設されている。この透明シート１０には、端部寄りに例えばアイコンマーク等が印刷されている。
そして、アイコンマーク上のタブレット７をペンで押すことにより、アイコンマークに対応した所望のアイコンが開けるようになっている。
前記透明シート１０は、厚さが０．２ｍｍに形成されて薄いので、透明シート１０が有っても無くても、タブレット７を第２ケース８に組み込むことができるようになっている。
そのために、透明シート有り、無しのバラエティ対応が、その他の部品を変更することなく行うことができる。
【００２４】
また、第１ケース５の位置決め穴５ｄに第２ケース８の位置決めピン８ｃを嵌合させて、液晶セルユニット６とタブレットユニット９とを互いに積層し、この積層状態の液晶セルユニット６とタブレットユニット９とを収納するメタルフレーム１１は、ステンレス板等からなり、図１に示すように、絞り加工で矩形状に形成されている。
前記メタルフレーム１１は、下部が解放されて周囲が側板１１ａで覆われ、上部にはタブレット７のペン等で操作可能な操作領域（図示せず）を露出させる開口部１１ｂと、この開口部１１ｂの外側でタブレット７の外周部寄りを覆う縁部１１ｃとが形成されている。
【００２５】
また、側板１１ａは、第１ケース５のフック部５ｃにスナップ係合可能なスリット状の係合部１１ｄが打ち抜き形成されて、メタルフレーム１１の内部に、積層状態の液晶セルユニット６とタブレットユニット９とが収納可能となっている。
また、本発明の液晶表示装置１は、第１ケース５、および第２ケース８が真空成型加工で形成しているので、それぞれの側壁５ａ、８ａ、および底板５ｂ、および桟部８ｂの肉厚を０、６ｍｍ以下に薄く加工することができる。
そのために、本発明の液晶表示装置１の軽量化が可能となると共に、操作領域の広さを従来と同じにした場合でも、外形の大きさを従来より小さくすることができる。
【００２６】
このような構成からなる第１の実施の形態の液晶表示装置１の組立を説明すると、まず、液晶セル２を第１ケース５に組み込んで液晶セルユニット６を組み立てる。次に、第２ケース８の桟部８ｂ上に透明シート１０を組み込み、この透明シート１０の上からタブレット７を組み込んでタブレットユニット９を組み立てる。
次に、液晶セルユニット６の第１ケース５に形成した位置決め穴５ｄに、第２ケース８の位置決めピン８ｃを嵌合させ、液晶セルユニット６とタブレットユニット９とを互いに積層する。
【００２７】
次に、積層状態の液晶セルユニット６とタブレットユニット９の上方からメタルフレーム１１をかぶせ、メタルフレーム１１の縁部１１ｃ上を図示下方に押圧すると、側板１１ａに形成した係合部１１ｄが第１ケース５のフック部５ｃにスナップ係合され、メタルフレーム１１内部に液晶セルユニット６とタブレットユニット９とが収納されると共に動きが規制されて、液晶表示装置１の組立が終了する。
【００２８】
このように組み立てられた液晶表示装置１は、メタルフレーム１１が第１ケース５にスナップ係合して、液晶セルユニット６とタブレットユニット９との動きが規制されているが、従来のように、それぞれの部材が両面接着テープでメタルフレーム１１に固着されてないので、それぞれの部材は、微小寸法だけ動けるようになっている。
そのために、本発明の液晶表示装置１を、携帯電話等のセットに取り付けたときに、メタルフレーム１１にネジレが発生したとしても、それぞれの部材が微小寸法動くことにより、この微小な動きでメタルフレーム１１のネジレを吸収して、液晶セルユニット６、およびタブレットユニット９にネジレ応力等の負荷が伝達されないようになっている。
【００２９】
また、メタルフレーム１１に収納したタブレットユニット９は、外周部の電極（図示せず）がメタルフレーム１１の縁部１１ｃで覆われてシールドされるので、本発明の液晶表示装置１近傍に静電気が発生するものがあったとしても、この静電気による誤動作を防ぐことができる。
【００３０】
また、本発明の第２の実施の形態の液晶表示装置１２を、図４〜図６に基づいて説明する。なお、第２の実施の形態の液晶表示装置１２に用いる液晶セルユニット６とタブレットユニット９とは、第１の実施の形態の液晶表示装置１に用いたものと同じなので、第１の実施の形態と同じ番号を付して、詳細な説明は省略する。
【００３１】
本発明の第２の実施の形態の液晶表示装置１２は、第１の実施の形態で説明した液晶セルユニット６とタブレットユニット９との間に、フロントライトユニット１６が狭持されて組立られている。
前記フロントライトユニット１６は、所定厚さの透明樹脂からなり、形状が液晶セル２と略同形状の矩形状に形成された導光板１３と、この導光板１３の一端部に取り付けられた照明装置１４とを有している。
【００３２】
この照明装置１４は、ＬＥＤ等からなる光源を有し、この光源の光を導光板１３側に反射させるために反射板（図示せず）が周囲に配設されている。
また、接着剤（図示せず）等で一体化した導光板１３と照明装置１４とは、樹脂材料からなる第３ケース１５に組み込まれてフロントライトユニット１６が構成されている。
前記第３ケース１５は、一端部に照明装置１４を取り付けた状態の導光板１３と照明装置１４との外周部に当接して、導光板１３と照明装置１４との動きを規制する第３側壁１５ａが形成されている。
また第３ケース１５は、導光板１３と照明装置１４との外周部寄りの背面に当接して、導光板１３と照明装置１４とを保持する所定厚さの桟部１５ｂとが形成されている。
【００３３】
また、第３ケース１５の第３側壁１５ａは、図６に示すように、背面に複数の第２位置決めピン１５ｃが突出形成され、この第２位置決めピン１５ｃが第１ケース５の第１位置決め穴５ｄに嵌合可能になっている。
また、第３側壁１５ａの図示上部である前面には、複数の第２位置決め穴１５ｄが設けられ、この第２位置決め穴１５ｄに第２ケース８の第１位置決めピン８ｃが嵌合可能になっている。
【００３４】
そして、第１位置決め穴５ｄに第２位置決めピン１５ｃを嵌合させ、第２位置決め穴１５ｄに第１位置決めピン８ｃを嵌合させて、液晶セルユニット６とフロントライトユニット１６とタブレットユニット９とを互いに積層した状態で位置決め可能になっている。
【００３５】
また、互いに積層した状態の液晶セルユニット６、フロントライトユニット１６、タブレットユニット９を収納するメタルフレーム１７が配設されている。
このメタルフレーム１７は、第１の実施の形態で説明したメタルフレーム１１と高さ寸法が異なるのみで、材質および形状等は同じなので詳細な説明は省略する。即ち、メタルフレーム１７は、側板１７ａと、上部には矩形状の開口部１７ｂと、この開口部１７ｂの外側に縁部１７ｃが形成されている。また、側板１７ａには複数のスリット状の係合部１７ｄが打ち抜き形成されている。
【００３６】
このような第２の実施の形態の液晶表示装置１２は、周囲が暗い夜間等に使用する場合に、照明装置１４を点灯することにより、この光が導光板１３内部に入射し、液晶セル２の文字等の表示画像を読みとり可能になっている。
また、第１と第２の実施の形態の液晶表示装置１、１２は、高さ寸法の異なるメタルフレーム１１、１７を交換するだけで、フロントライトユニット１６有り、無しのバラエティを容易に組み立てできる。
【００３７】
【発明の効果】
本発明の液晶表示装置は、第１ケースに液晶セルを組み込んだ状態の液晶セルユニット上に、第２ケースにタブレットを組み込んだ状態のタブレットユニットを積層し、この互いに積層した状態の前記液晶セルユニットと前記タブレットユニットとを収納してそれぞれの動きを規制可能なメタルフレームを配設したので、それぞれの部材を積層した状態でメタルフレームに収納しており、従来のような両面接着テープ等を使わないで組立ができる組立性に優れた液晶表示ユニットを提供できる。
携帯電話等のセットに液晶表示装置を取り付けたときに、メタルフレームにネジレが発生したとしても、液晶セルユニット、およびタブレットユニットにネジレ応力等の負荷が伝達されない。そのために、液晶セルに表示ムラ、あるいはタブレットにニュートンリング等の不具合が発生しない、高性能な液晶表示装置を提供できる。
【００３８】
また、メタルフレームは、内部に積層状態のタブレットユニットと液晶セルユニットとを収納可能とし、側板は、第１ケースにスナップ係合可能な係合部を有するので、メタルケースに形成した係合部を第１ケースにスナップ係合させて組み立てることができ組立性が良い。
また、携帯電話等のセットに本発明の液晶表示装置を取り付けたときに、メタルフレームにネジレが発生したとしても、スナップ係合によりそれぞれの部材が微小に動くことができるので、液晶セルユニット、およびタブレットユニットにネジレ応力等の負荷が伝達されない。
そのために、液晶セルに表示ムラ、あるいはタブレットにニュートンリング等の不具合が発生しない、高性能な液晶表示装置を提供できる。
また、メタルフレームの縁部で、タブレットの端面の電極部分を覆っているので、周囲に静電気等が発生しても、この静電気で誤動作することがない。
【００３９】
また、第１ケースは、液晶セルの外周部に当接して液晶セルの動きを規制する第１側壁と、液晶セルの背面を覆う底板とを有し、第１側壁の外周部には、メタルフレームの係合部にスナップ係合可能なフック部を形成したので、フック部にメタルフレームの係合部をスナップ係合させるだけで組み立てることができる。
【００４０】
また、第２ケースは、タブレットの外周部に当接してタブレットの動きを規制する第２側壁と、タブレットの外周部寄りの背面に当接してタブレットを保持する所定厚さの桟部とを有するので、この桟部で、液晶セルとタブレットとの間に所定寸法の隙間を形成することができる。そのために、ペン等でタブレットが押圧されて歪んでも、タブレットが液晶セルに当接することのない高性能な液晶表示装置を提供できる。
【００４１】
また、第１位置決め穴に第１位置決めピンを嵌合させて、液晶セルユニットとタブレットユニットとを互いに積層したので、メタルフレームに組み込み前の液晶セルユニットとタブレットユニットとを確実の位置決めすることができ、組立性に優れた液晶表示装置を提供できる。
【００４２】
また、液晶セルユニットとタブレットユニットとの間は、フロントライトユニットを配設し、液晶セルユニットとフロントライトユニットとタブレットユニットとを積層した状態でメタルフレームに収納したので、液晶セルユニットとフロントライトユニットとタブレットユニットとをメタルフレームに組み込む組立が容易である。
【００４３】
また、第１ケースの第１位置決め穴に第３ケースの第２位置決めピンを嵌合させ、第３ケースの第２位置決め穴に第２ケースの第１位置決めピンを嵌合させて、液晶セルユニットとフロントライトユニットとタブレットユニットとを積層したので、両面接着テープ等を使わなくても組立ができる、組立性に優れた液晶表示装置を提供できる。
【００４４】
また、タブレットユニットは、タブレットの背面と第２ケースの桟部との間に透明シートを配設したので、この透明シートにアイコンマーク等を書き込むことにより、このアイコンマーク上のタブレットをペンで押すことによって、所望のアイコンが開くことができ操作性が良い。
【００４５】
また、透明シートは０．２ｍｍ以下の薄肉なので、その他の部品を変更することなく組立ができ、透明シート有り、無しのバラエティ対応が容易である。
【図面の簡単な説明】
【図１】本発明の第１の実施の形態の液晶表示装置の分解斜視図である。
【図２】本発明の第１の実施の形態の液晶表示装置の要部断面図である。
【図３】図２の組立を説明する要部拡大図である。
【図４】本発明の第２の実施の形態の液晶表示装置の分解斜視図である。
【図５】本発明の第２の実施の形態の液晶表示装置の要部断面図である。
【図６】図５の組立を説明する要部拡大図である。
【図７】従来の液晶表示装置の分解斜視図である。
【図８】従来の液晶表示装置の要部断面図である。
【符号の説明】
１  第１の実施の形態の液晶表示装置
２  液晶セル
３  絶縁基板
４  絶縁基板
５  第１ケース
５ａ  第１側壁
５ｂ  底板
５ｃフック部
５ｄ  第１位置決め穴
６  液晶セルユニット
７  タブレット
８  第２ケース
８ａ  第２側壁
８ｂ  桟部
８ｃ  第１位置決めピン
９  タブレットユニット
１０  透明シート
１１  メタルフレーム
１１ａ  側板
１１ｂ  開口部
１１ｃ  縁部
１１ｄ  係合部
１２  第２の実施の形態の液晶表示装置
１３  導光板
１４  照明装置
１５  第３ケース
１６  フロントライトユニット
１７  メタルフレーム
【図１】
0003995410.tif 000002
【図２】
0003995410.tif 000003
【図３】
0003995410.tif 000004
【図４】
0003995410.tif 000005
【図５】
0003995410.tif 000006
【図６】
0003995410.tif 000007
【図７】
0003995410.tif 000008
【図８】
0003995410.tif 000009